(57)【要約】【課題】簡単な構成で記録位置精度を高める。【解決手段】レンチキュラーレンズを有する記録媒体を搬送し、前記記録媒体に対して記録を行う記録装置において、前記記録媒体を支持するガイドであって、前記レンチキュラーレンズに接触させることによって前記記録媒体を案内する第１凸部を有するガイドと、前記記録媒体を搬送する際に前記記録媒体と接触しながら回転するガイドローラーであって、前記第１凸部とは異なる大きさの第２凸部を有するガイドローラーとを有する。【選択図】図１０
2010247961.tif 000002
【特許請求の範囲】
【請求項１】
レンチキュラーレンズを有する記録媒体を搬送し、前記記録媒体に対して記録を行う記録装置において、
前記記録媒体を支持するガイドであって、前記レンチキュラーレンズに接触させることによって前記記録媒体を案内する第１凸部を有するガイドと、
前記記録媒体を搬送する際に前記記録媒体と接触しながら回転するガイドローラーであって、前記第１凸部とは異なる大きさの第２凸部を有するガイドローラーと
を有する記録装置。
【請求項２】
請求項１に記載の記録装置であって、
前記記録媒体の前記レンチキュラーレンズのレンズピッチに応じて、前記記録媒体の搬送方向と交差する方向における前記ガイドの前記第１凸部の位置と前記ガイドローラーの前記第２凸部の位置が異なることを特徴とする記録装置。
【請求項３】
請求項２に記載の記録装置であって、
前記ガイドは、前記ガイドローラーの前記第２凸部の位置と同じ位置に前記第２凸部と同じ大きさの第３凸部を更に有し、
前記ガイドローラーは、前記ガイドの前記第１凸部の位置と同じ位置に前記第１凸部と同じ大きさの第４凸部を更に有する
ことを特徴とする記録装置。
【請求項４】
請求項２又は３に記載の記録装置であって、
前記第１凸部の位置及び前記第２凸部の位置と、前記記録媒体の前記レンチキュラーレンズのレンズピッチとに応じて、前記記録媒体の搬送位置が異なることを特徴とする記録装置。
【請求項５】
請求項１〜４の何れかに記載の記録装置であって、
前記第１凸部は、前記第２凸部よりも高い形状をしており、
前記第２凸部は、前記第１凸部の間隔の整数倍の間隔で配置されている
ことを特徴とする記録装置。
【請求項６】
請求項５に記載の記録装置であって、
第１レンズピッチのレンチキュラーレンズを有する記録媒体を搬送するとき、前記第１凸部が前記記録媒体と接触するとともに、前記レンチキュラーレンズの凹部に前記第２凸部が位置し、
前記第１レンズピッチよりも短い第２レンズピッチのレンチキュラーレンズを有する記録媒体を搬送するとき、前記第２凸部は前記記録媒体と接触するとともに、前記第１凸部は前記記録媒体に接触しない
ことを特徴とする記録装置。
【請求項７】
請求項１〜６の何れかに記載の記録装置であって、
前記第１凸部又は前記第２凸部に前記記録媒体を押圧する押圧部材を更に有することを特徴とする記録装置。
【請求項８】
記録媒体を支持するガイドに設けられた第１凸部をレンチキュラーレンズと接触させることによって前記レンチキュラーレンズを有する記録媒体を搬送方向に案内すること、及び
前記第１凸部とは異なる大きさの第２凸部を有するガイドローラーを回転させ、前記第２凸部を前記レンチキュラーレンズに接触させながら、前記記録媒体を搬送すること、
の少なくとも一方を行なうことを特徴とする搬送方法。
【発明の詳細な説明】
【技術分野】
【０００１】
本発明は、記録装置及び搬送方法に関する。
【背景技術】
【０００２】
レンチキュラーレンズの背面に画像を配置することによって、立体画像あるいは見る角度に応じて絵柄が変化する画像が得られることが知られている。このような画像を得る際に、レンチキュラーレンズの背面に画像を貼り合わせても良いが、レンチキュラーレンズの背面に画像を直接記録することも行われている。
【０００３】
レンチキュラーレンズの背面の画像（レンチキュラー画像）は、レンチキュラーレンズのレンズ配列に精度良く合わせる必要がある。このため、レンチキュラーレンズの背面に画像を記録する場合にも、レンチキュラーレンズと画像とを精度良く位置合わせする必要がある。
【０００４】
特許文献１では、センサーを用いてレンチキュラーレンズの位置を検出し、この検出結果に基づいて所定の位置に記録を行う技術が開示されている。また、特許文献２には、搬送用トレイに載置された記録媒体がトレイ上で位置ずれしない対策を施し、記録位置の精度を高める技術が開示されている。
【先行技術文献】
【特許文献】
【０００５】
【特許文献１】特許第３４７１９３０号公報
【特許文献２】特開２００７−１３０７６９号公報
【発明の概要】
【発明が解決しようとする課題】
【０００６】
特許文献１では、レンチキュラーレンズの位置を検出するためのセンサーが必要になるため、装置のコストが高くなる。また、特許文献２では、搬送トレイに対する記録媒体の位置ずれを抑制できても、搬送トレイが搬送方向に対して傾斜した状態で搬送されてしまうと、記録媒体への画像記録位置の精度が低下する。  
本発明は、簡単な構成で記録位置精度を高めることを目的とする。
【課題を解決するための手段】
【０００７】
上記目的を達成するための主たる発明は、レンチキュラーレンズを有する記録媒体を搬送し、前記記録媒体に対して記録を行う記録装置において、前記記録媒体を支持するガイドであって、前記レンチキュラーレンズに接触させることによって前記記録媒体を案内する第１凸部を有するガイドと、前記記録媒体を搬送する際に前記記録媒体と接触しながら回転するガイドローラーであって、前記第１凸部とは異なる大きさの第２凸部を有するガイドローラーとを有する記録装置である。  
本発明の他の特徴については、本明細書及び添付図面の記載により明らかにする。
【図面の簡単な説明】
【０００８】
【図１】図１Ａは、レンズシートの拡大断面図である。図１Ｂは、レンズシートをレンチキュラーレンズ側から見た図である。図１Ｃは、別のレンズシートの説明図である。
【図２】記録装置の概略構成を説明するためのブロック図である。
【図３】記録装置を後方から見た斜視図である。
【図４】図３に示す部分Ｒの拡大図である。
【図５】図５は、第１ガイドローラー３１とレンズシートＬとの接触部分の拡大断面図である。
【図６】図６Ａは、レンズシートがガイド３に対して斜めに載置された様子を上から見た図である。図６Ｂは、図６ＡのＡ−Ａ断面図である。図６Ｃは、図６ＡのＢ−Ｂ断面図である。
【図７】図７Ａは、図３の第１ガイドローラーの配置の概略説明図である。図７Ｂは、第１変形例の第１ガイドローラーの配置の説明図である。図７Ｃは、第２変形例の第１ガイドローラーの配置の説明図である。図７Ｄは、第３変形例の第１ガイドローラーの配置の説明図である。
【図８】図８Ａは、図３のガイド３の係合部の断面形状の説明図である。図８Ｂは、第１変形例の係合部の断面形状の説明図である。図８Ｃは、第２変形例の係合部の断面形状の説明図である。図８Ｄは、第３変形例の係合部の断面形状の説明図である。図８Ｅは、第４変形例の係合部の断面形状の説明図である。
【図９】図９Ａは、図３のガイド及び第１ガイドローラーを上からみたときの係合部の谷の線の方向の概略説明図である。図９Ｂは、変形例の係合部１２を上から見たときの拡大説明図である。
【図１０】第１形態のガイド３０及び第１ガイドローラー３１の概略説明図である。
【図１１】第１形態の変形例の記録装置を後方から見た斜視図である。
【図１２】第１形態の変形例の概略説明図である。
【図１３】図１３Ａは、６０ｌｐｉのレンズシートＬ６を搬送する様子を上から見た図である。図１３Ｂは、３０ｌｐｉのレンズシートＬ３を搬送する様子を上から見た図である。
【図１４】第２形態の概略説明図である。
【図１５】図１５Ａは、６０ｌｐｉのレンズシートＬ６を搬送する様子を上から見た図である。図１５Ｂは、３０ｌｐｉのレンズシートＬ３を搬送する様子を上から見た図である。
【図１６】第２形態の改良例の概略図である。
【図１７】図１７Ａは、第２形態の改良例の第１ガイドローラー３１を搬送方向から見た図である。図１７Ｂは、３０ｌｐｉのレンズシートＬ３を搬送する様子の概略説明図である。図１７Ｃは、６０ｌｐｉのレンズシートＬ６を搬送する様子の概略説明図である。
【図１８】図１８Ａは、ガイド３の搬送方向上流側の端面の説明図である。図１８Ｂは、ガイド３の端面形状の変形例の説明図である。
【図１９】図１９Ａは、ガイド３の係合部１２の端部形状の説明図である。図１９Ｂ〜図１９Ｅは、係合部の凸部の端部形状の変形例である。
【図２０】図２０Ａは、押圧ローラーの表面に凸部を設けた変形例の説明図である。図２０Ｂは、押圧ローラーの表面に凸部を設けた別の変形例の説明図である。
【図２１】検査用画像の説明図である。
【図２２】レンチキュラーレンズの側から見た検査用画像の説明図である。
【発明を実施するための形態】
【０００９】
本明細書及び添付図面の記載により、少なくとも、以下の事項が明らかとなる。
【００１０】
レンチキュラーレンズを有する記録媒体を搬送し、前記記録媒体に対して記録を行う記録装置において、前記記録媒体を支持するガイドであって、前記レンチキュラーレンズに接触させることによって前記記録媒体を案内する第１凸部を有するガイドと、前記記録媒体を搬送する際に前記記録媒体と接触しながら回転するガイドローラーであって、前記第１凸部とは異なる大きさの第２凸部を有するガイドローラーとを有する記録装置が明らかとなる。このような記録装置によれば、簡単な構成で、複数種類の記録媒体に対して記録位置精度を高めることができる。
【００１１】
前記記録媒体の前記レンチキュラーレンズのレンズピッチに応じて、前記記録媒体の搬送方向と交差する方向における前記ガイドの前記第１凸部の位置と前記ガイドローラーの前記第２凸部の位置が異なっていてもよい。これにより、異なるレンズピッチの記録媒体を搬送することができる。
【００１２】
前記ガイドは、前記ガイドローラーの前記第２凸部の位置と同じ位置に前記第２凸部と同じ大きさの第３凸部を更に有し、前記ガイドローラーは、前記ガイドの前記第１凸部の位置と同じ位置に前記第１凸部と同じ大きさの第４凸部を更に有していてもよい。これにより、異なるレンズピッチの記録媒体に対してより記録位置精度を高めることができる。
【００１３】
かかる記録装置であって、前記第１凸部の位置及び前記第２凸部の位置と、前記記録媒体の前記レンチキュラーレンズのレンズピッチとに応じて、前記記録媒体の搬送位置が異なることが望ましい。これにより、異なるレンズピッチの記録媒体を搬送することができる。
【００１４】
前記第１凸部は、前記第２凸部よりも高い形状をしており、前記第２凸部は、前記第１凸部の間隔の整数倍の間隔で配置されていることが望ましい。これにより、第１レンズピッチの記録媒体を搬送するときに、レンズの山が第２凸部に接触しないようにできる。
【００１５】
第１レンズピッチのレンチキュラーレンズを有する記録媒体を搬送するとき、前記第１凸部が前記記録媒体と接触するとともに、前記レンチキュラーレンズの凹部に前記第２凸部が位置し、前記第１レンズピッチよりも短い第２レンズピッチのレンチキュラーレンズを有する記録媒体を搬送するとき、前記第２凸部は前記記録媒体と接触するとともに、前記第１凸部は前記記録媒体に接触しないことが望ましい。これにより、異なるレンズピッチの記録媒体を搬送できる。
【００１６】
前記第１凸部又は前記第２凸部に前記記録媒体を押圧する押圧部材を更に有することが望ましい。これにより、記録媒体の移動の制限を強固にできる。
【００１７】
また、記録媒体を支持するガイドに設けられた第１凸部をレンチキュラーレンズと接触させることによって前記レンチキュラーレンズを有する記録媒体を搬送方向に案内すること、及び、前記第１凸部とは異なる大きさの第２凸部を有するガイドローラーを回転させ、前記第２凸部を前記レンチキュラーレンズに接触させながら、前記記録媒体を搬送すること、の少なくとも一方を行なうことを特徴とする搬送方法が明らかとなる。このような搬送方法によれば、簡単な構成で、記録位置精度を高めることができる。
【００１８】
＝＝＝レンズシート＝＝＝
まず、レンチキュラーレンズを有する記録媒体であるレンズシートについて説明する。  
図１Ａは、レンズシートの拡大断面図である。図１Ｂは、レンズシートをレンチキュラーレンズ側から見た図である。図１Ｃは、別のレンズシートの説明図である。
【００１９】
レンズシートＬは、レンチキュラーレンズ７と、画像形成層８とを有する。  
レンチキュラーレンズ７は、多数のシリンドリカルレンズ１３をシート面方向に配列した樹脂製の光学部材（シリンドリカルレンズアレイ）である。以下の説明では、シリンドリカルレンズ１３の母線方向を「ｘ方向」とし、シリンドリカルレンズ１３の並ぶ方向を「ｙ方向」とする（ｘ、ｙは小文字）。また、各シリンドリカルレンズ１３の最も突出している部分（ピーク）を「山」と呼び、シリンドリカルレンズ間の凹部分を「谷」と呼び、山の連なる線を「稜線」と呼び、稜線と平行な方向を「母線方向」と呼ぶことがある。
【００２０】
画像形成層８は、インク透過層８Ａと、インク吸収層８Ｂとを有する。インク透過層８Ａは、レンズシートＬの外側に位置し、インク吸収層８Ｂは、インク透過層８Ａとレンチキュラーレンズ７との間に位置する。レンズシートＬの画像形成層８の側からインクジェット記録方式で画像を記録すると、インクがインク透過層８Ａを透過してインク吸収層８Ｂに吸収され、レンチキュラーレンズ７越しに画像を視認できる。
【００２１】
なお、レンズシートＬの画像形成層８は無くても良い。例えば、紫外線硬化インクを用いれば、インク透過層８Ａやインク吸収層８Ｂなどが無くても、レンチキュラーレンズ７の背面に直接画像を記録することができる。
【００２２】
以下に説明する本実施形態の記録装置は、レンチキュラーレンズ７の形状を利用して、レンチキュラーレンズ７の母線方向（ｘ方向）に沿ってレンズシートＬを搬送する。具体的には、搬送方向に沿って凸部をガイド（後述）上及びガイドローラー（後述）上に形成しておき、この凸部にシリンドリカルレンズ間の谷間が係合しながらレンズシートＬを滑らせるように搬送することによって、記録装置の搬送方向とレンズの母線方向（ｘ方向）とが一致するようにしている。
【００２３】
これにより、記録装置の記録位置（ヘッドがインクを吐出して画像を形成する位置）において、レンチキュラーレンズ７の各シリンドリカルレンズ１３が所定位置に位置決めされた状態になる。この結果、レンチキュラーレンズ７のレンズ配列に合わせて、精度良く画像を記録できる。
【００２４】
なお、図１Ｂでは、レンズシートＬの辺の方向は、ｘ方向やｙ方向と一致している。但し、図１Ｃのように、レンズシートＬの種類により、若しくはレンズシートＬの製造精度により、レンズシートＬの辺の方向は、ｘ方向やｙ方向と一致しないことがある。本実施形態の記録装置は、図１ＣのようなレンズシートＬに対しても、記録装置の搬送方向とレンズの母線方向（ｘ方向）とを一致させ、レンチキュラーレンズ７のレンズ配列に合わせて、精度良く画像を記録できる。
【００２５】
また、図１Ｂのような場合においても、レンズシートＬの辺にシリンドリカルレンズ１３の山が位置することもあるし、谷が位置することもある。本実施形態の記録装置によれば、レンズシートＬの辺にシリンドリカルレンズ１３の山が位置するか谷が位置するかに関わらず、レンチキュラーレンズ７の各シリンドリカルレンズ１３が所定位置に位置決めされた状態になる。
【００２６】
＝＝＝記録装置の概要＝＝＝
図２は、記録装置の概略構成を説明するためのブロック図である。図３は、記録装置を後方から見た斜視図である。なお、図３において、記録装置１００の搬送方向をＸ方向とし、ヘッドの主走査方向をＹ方向とし、鉛直方向をＺ方向とする（Ｘ、Ｙ、Ｚは大文字）。後述するように、Ｘ方向（記録装置１００の搬送方向）とｘ方向（レンズシートＬのレンズの母線方向）は、一致することになる。
【００２７】
外部装置であるコンピューター１１０は、記録装置１００に記録させるための画像を生成し、記録用データを記録装置１００に送信する。レンズシートＬに記録を行う場合には、コンピューター１１０は、ユーザーの指定した複数の画像をレンズピッチ等に応じて加工・合成することによって記録用の画像を生成し、その画像を記録させるための記録用データを記録装置１００に送信する。なお、記録用データを生成する機能を記録装置１００が備えていても良い。
【００２８】
記録装置１００は、コンピューター１１０から受信した記録用データに基づいて、媒体に記録を行う。レンズシートＬに記録を行う場合には、レンズピッチに応じて生成された記録用データに基づいて、レンズシートＬの背面に画像を記録する。
【００２９】
記録装置１００は、筐体２と、ガイド３と、搬送ローラー４及び排紙ローラー５と、ヘッド６と、第１ガイドローラー３１及び第２ガイドローラー３２とを有する。筐体２は、記録装置１００の外装体である。ガイド３は、レンズシートＬを支持すると共に、レンズシートＬを搬送方向に案内する。搬送ローラー４及び排紙ローラー５は、筐体２内に供給されたレンズシートＬを搬送方向に搬送する。第１ガイドローラー３１及び第２ガイドローラー３２は、レンズシートＬの所定方向の移動を制限しつつ、レンズシートＬを搬送方向に搬送する。ヘッド６は、レンズシートＬに対して記録を行う。
【００３０】
筐体２には、給紙開口部９と、排紙開口部１０とが設けられている。給紙開口部９から供給されたレンズシートＬは、搬送ローラー４及び排紙ローラー５によって搬送方向に搬送されると共に、ヘッド６によって記録が行われ、排紙開口部１０から記録装置１００の外部に排出される。
【００３１】
ガイド３は、全体として矩形の板状体を呈している。ガイド３は、搬送方向に関して、給紙開口部９よりも突出した位置から、搬送ローラー４の手前の位置までに及ぶ長さがある。また、Ｙ方向（若しくはレンズシートＬの幅方向）に関して、レンズシートＬの全幅を支持できるだけの幅がある。
【００３２】
給紙ローラー２４は、ガイド３に載置されたレンズシートＬを記録装置１００の中に供給する。給紙ローラー２４は、不図示の給紙モーターによって回転駆動される。レンズシートＬは、給紙ローラー２４による給紙によって、搬送ローラー４と第１ガイドローラー３１の間に導かれる。
【００３３】
ヘッド６の前後には、搬送ローラー４と排紙ローラー５が配置されている。搬送ローラー４は、給紙開口部９から供給されたレンズシートＬを記録位置（ヘッド６が記録を行う位置）に搬送するためのローラーである。排紙ローラー５は、記録位置で記録されたレンズシートＬを排紙開口部１０へ排出するためのローラーである。搬送ローラー４は搬送用モーター１６によって回転駆動され、排紙ローラー５は排紙用モーター１７によって回転駆動される。
【００３４】
第１ガイドローラー３１は、搬送ローラー４と対向して設けられている。第１ガイドローラー３１と搬送ローラー４とによってレンズシートＬを挟み込んだ状態で搬送ローラー４が回転駆動されることによって、第１ガイドローラー３１は従動回転し、レンズシートＬを搬送方向に搬送する。第１ガイドローラー３１の構成については、後述する。
【００３５】
第２ガイドローラー３２は、排紙ローラーと対向して設けられている。第２ガイドローラー３２と排紙ローラー５とによってレンズシートＬを挟み込んだ状態で排紙ローラー５が回転駆動されることによって、第２ガイドローラー３２は従動回転し、レンズシートＬを搬送方向に排紙する。第２ガイドローラー３２の形状は、第１ガイドローラー３１と同様である。
【００３６】
ヘッド６は、インクを吐出するインクジェット型の記録ヘッドであり、キャリッジ１８の下面に取り付けられている。ヘッド６と対向する位置には、レンズシートＬを支持するためのプラテン２３が設けられている。搬送ローラー４によって記録位置まで搬送されたレンズシートＬは、記録位置においてプラテン２３によって支持される。
【００３７】
キャリッジ１８は、Ｙ方向に沿って設けられたキャリッジガイド１９によってＹ方向に移動可能に支持され、キャリッジ用モーター２０により駆動されるタイミングベルト２１に取り付けられている。このため、キャリッジ用モーター２０によりタイミングベルト２１が回転駆動すると、キャリッジ１８と共にヘッド６がＹ方向に往復移動することができる。
【００３８】
コントローラーは、搬送用モーター１６や排紙用ローラー１７を制御することによって、レンズシートＬの搬送方向への搬送を制御する。また、コントローラーは、キャリッジ用モーター２０を制御することによって、ヘッド６の移動を制御する。また、コントローラーは、ヘッド６からのインクの吐出を制御する。これにより、コントローラーは、レンズシートＬの所望の位置に画像を記録することができる。なお、レンズシートＬに画像を記録するときには、画像形成層８の側がヘッド６に対向し、レンチキュラーレンズ７の側がガイド３と接触するように、レンズシートＬをガイド３に載置する。これにより、ヘッド６は画像形成層８に対して記録を行い、レンチキュラーレンズ７の側から画像形成層８に記録された画像を視認することができる記録物が作成される。
【００３９】
＜ガイドの構成＞
図４は、図３に示す部分Ｒの拡大図である。  
ガイド３は、板状の基板１１と、係合部１２とを備えている。係合部１２は、レンチキュラーレンズ７と同一形状であり、基板１１上に設けられている。すなわち、シリンドリカルレンズ１３と同一形状の線条の凸部１４が、レンズピッチと同じピッチで並んでいる。このため、レンチキュラーレンズ７を転用して係合部１２を形成しても良い。係合部１２の形状がレンチキュラーレンズ７と同一形状であるため、ここでは、係合部１２の凸部１４の最も突出している部分を「山」と呼び、凸部１４の間の凹部分を「谷」と呼び、山の連なる線を「稜線」と呼び、稜線と平行な方向を「母線方向」と呼ぶことがある。
【００４０】
ガイド３は、線条の凸部１４の母線方向が記録装置１００の搬送方向（Ｘ方向）と一致するように位置調整されて、記録装置１００に取り付けられている。また、線条の凸部１４は、レンズシートＬの幅よりも広い幅に亘って並設されている。
【００４１】
係合部１２がレンチキュラーレンズ７と同一形状であるため、レンチキュラーレンズ７の側を下にしてレンズシートＬをガイド３に載置したときに、レンチキュラーレンズ７のシリンドリカルレンズ１３とガイド３の凸部１４とが噛み合い、ガイド３の凸部１４がシリンドリカルレンズ１３の山と山の間に位置し、シリンドリカルレンズ１３の山がガイド３の凸部１４と凸部１４の間に位置する。この結果、レンズシートＬは、ガイド３に対してＹ方向の動きが制限され、Ｙ方向に位置決めされる。一方、凸部１４の母線方向（図４の紙面垂直方向、Ｘ方向）の制約はないため、レンズシートＬは、ガイド３の凸部１４の母線方向である搬送方向に沿って、搬送可能である。すなわち、ガイド３は、レンズシートＬを、Ｙ方向への移動を拘束したまま、搬送方向に案内する。
【００４２】
＜ガイドローラーの構成＞
図５は、第１ガイドローラー３１とレンズシートＬとの接触部分の拡大断面図である。  
レンズシートＬは第１ガイドローラー３１と搬送ローラー４との間に挟まれているため、本来であればレンズシートＬの上に搬送ローラー４が位置するが、説明の簡略化のため搬送ローラー４の図示を省略している。なお、本実施形態では、後述するように、ガイド３の凸部１４と第１ガイドローラー３１の凸部１０４は大きさが異なっている。ここでは、説明の都合上、凸部１０４を図４の凸部１４と同じ大きさで示している。
【００４３】
第１ガイドローラー３１は、主軸１０１と、主軸１０１の円筒表面に形成された係合部１０２とを備えている。係合部１０２の断面形状は、レンチキュラーレンズ７とほぼ同じ断面形状である。すなわち、シリンドリカルレンズ１３とほぼ同じ断面形状の凸部１０４が、レンズピッチと同じピッチで並んでいる。それぞれの凸部１０４は、主軸１０１の円周方向に沿って形成されている。以下の説明では、ガイド３の場合と同様に、係合部１０２の凸部１０４の最も突出している部分を「山」と呼び、凸部１０４の間の凹部分を「谷」と呼ぶことがある。
【００４４】
第１ガイドローラー３１は、上から見たときに谷の線が記録装置１００の搬送方向（Ｘ方向）と一致するように位置調整されて、記録装置１００に取り付けられている。また、第１ガイドローラー３１の凸部１０４は、レンズシートＬの幅よりも広い幅に亘って並設されている。なお、係合部１０２は、主軸１０１と別部材でも良いし、主軸１０１と一体成形しても良い。
【００４５】
係合部１０２の断面形状がレンチキュラーレンズ７の断面形状と同じであるため、レンチキュラーレンズ７の側を下にしてレンズシートＬを第１ガイドローラー３１で搬送するときに、レンチキュラーレンズ７のシリンドリカルレンズ１３と第１ガイドローラー３１の凸部１０４とが噛み合い、第１ガイドローラー３１の凸部１０４がシリンドリカルレンズ１３の山と山の間に位置し、シリンドリカルレンズ１３の山が第１ガイドローラー３１の凸部１０４と凸部１０４の間に位置する。この結果、レンズシートＬは、第１ガイドローラー３１に対してＹ方向の動きが制限され、Ｙ方向に位置決めされる。一方、レンズシートＬの搬送方向（図５の紙面垂直方向、Ｘ方向）への移動の制約はないため、また、第１ガイドローラー３１が搬送ローラー４の回転と共に従動回転するため、レンズシートＬは、搬送方向に沿って移動可能である。これにより、第１ガイドローラー３１は、レンズシートＬを、Ｙ方向への移動を拘束したまま、搬送方向に案内できる。
【００４６】
第２ガイドローラー３２も第１ガイドローラー３１と同様の構成である。ここでは、第２ガイドローラー３２の構成の説明を省略する。第２ガイドローラー３２も、第１ガイドローラー３１と同様に、レンズシートＬを、Ｙ方向への移動を拘束したまま、搬送方向に案内できる。第２ガイドローラー３２がヘッド６よりも搬送方向下流側に設けられているため、レンズシートＬの後端が搬送ローラー４を通過した後も、レンズシートＬは、Ｙ方向への移動を拘束したまま、搬送方向に案内される。
【００４７】
＜押圧力による斜行防止＞
レンズシートＬがガイド３に対して斜めに載置されることがある。すなわち、記録装置１００の搬送方向（Ｘ方向）と、レンズシートＬのレンズの母線方向（ｘ方向）とが一致しない状態で、レンズシートＬがガイド３に載置されることがある。このような状態では、レンズシートＬがＹ方向に位置決めされていない。但し、このような場合においても、レンズシートＬをガイド３に押し付けながら搬送することによって、レンズシートＬが斜行されて搬送されることを防止できる。
【００４８】
２枚のレンズシートを用意し、最初は２枚のレンズシートの母線方向を交差させた状態（レンズ同士の山が噛み合っていない状態）でレンズ面同士を対向させて重ね合わせ、その状態で２枚のレンズシートを滑らせると（擦り合わせると）、２枚のレンズシートの母線方向が一致して、レンズ同士の山が噛み合う状態になる。記録装置１００がレンズシートＬをガイド３に押付けながら搬送することによって斜行防止できるのは、この現象を利用したものである。
【００４９】
図６Ａは、レンズシートがガイド３に対して斜めに載置された様子を上から見た図である。図６Ｂは、図６ＡのＡ−Ａ断面図である。図６Ｃは、図６ＡのＢ−Ｂ断面図である。図６Ａでは、ガイド３やレンズの山の位置を点線で示し、谷の位置を実線で示し、ガイド３を太線で示し、レンズを細線で示している。また、説明の簡略化のため、山や谷の数を少なくしている。
【００５０】
図６ＡのようにレンズシートＬがガイド３に対して斜めに載置されると、図６ＢのようにレンズシートＬとガイド３の山同士が接触する所がある。したがって、図４の状態と比較すると、レンズシートＬとガイド３との間隔が広くなっている。このため、図６Ｃに示すように、レンズシートＬの山がガイド３から離れる部分が生じる。図６Ｃの状態のＢ−Ｂ断面の位置に押圧力が作用すると、図４のようにレンズシートＬの山がガイド３の谷に入り込んで接触するようにレンズシートＬが撓む。この結果、Ｂ−Ｂ断面の位置に押圧力が作用すると、Ｂ−Ｂ断面の位置では、レンズシートＬの左右方向（Ｙ方向）の移動が制限される。
【００５１】
その状態からレンズシートＬが搬送方向に搬送されると、押圧力の作用する位置がＢ−Ｂ断面の位置からずれる。この結果、Ｂ−Ｂ断面からずれた位置においても、図４のようにレンズシートＬの山がガイド３の谷に入り込む。このとき、Ｂ−Ｂ断面の位置で図４のような状態が維持されたまま、Ｂ−Ｂ断面からずれた位置でも図４のような状態になろうとするため、Ａ−Ａ断面のようにレンズシートＬの山がガイド３の山と接触している位置（図６Ａ、図６Ｂ参照）では、レンズシートＬの山がガイド３の曲面に沿って滑る（この場合、レンズシートＬの山が右方向に滑る）。これにより、斜行が解消される方向（図６Ａの反時計回り）にレンズシートＬが回転し、斜行が修正される（レンズシートＬの母線方向とガイド３の母線方向が一致する）。
【００５２】
斜行が修正され、レンズシートＬの山とガイド３の山とが一旦噛み合うと、もはやレンズシートＬが回転する動きは拘束され、また、レンズシートＬに対して回転方向に作用する力も生じない。また、レンズシートＬの山とガイド３の山とが噛み合った状態でレンズシートＬが押圧力を受けると、レンズシートＬとガイド３との間に隙間が空かなくなり、ガイド３に対するレンズシートＬの動きはＸ方向だけに限定されるので、継続的に斜行が防止される。
【００５３】
図３では、給紙ローラー２４がバネ要素（後述する図７Ａ〜図７Ｄのバネ要素２４Ａ）によってレンズシートＬをガイド３に押し付けながら搬送している。これにより、レンズシートＬの斜行が防止され、Ｘ方向（記録装置１００の搬送方向）とｘ方向（レンズシートＬのレンズの母線方向）が一致する。また、図３では、レンズシートＬは、ガイド３を通過した後、第１ガイドローラー３１及び第２ガイドローラー３２に押し付けられる。このため、レンズシートＬの後端が給紙ローラー２４の位置を通過しても、継続してレンズシートＬの斜行が防止され、Ｘ方向とｘ方向が一致する。
【００５４】
＜ガイドローラーの配置＞
図７Ａは、図３の第１ガイドローラーの配置の概略説明図である。前述の第１ガイドローラー３１は、搬送ローラー４と対向する位置に設けられていた。但し、ガイドローラーの配置は、この位置に限られるものではない。以下、ガイドローラーの配置の変形例を説明する。
【００５５】
図７Ｂは、第１変形例の第１ガイドローラーの配置の説明図である。第１変形例では、第１ガイドローラー３１を搬送用モーターで回転駆動することによって、第１ガイドローラー３１と搬送ローラーとを兼用するものである。なお、第１ガイドローラー３１の上方には、第１ガイドローラー３１の回転と共に従動回転する従動ローラーが設けられている。第１変形例のように第１ガイドローラー３１がモーターによって回転駆動されていれば、レンズシートＬの上端が第１ガイドローラー３１と従動ローラーとの間に突入する際に、レンズシートＬの谷が第１ガイドローラー３１の山に導かれやすくなり、シートが詰まりにくくなる。
【００５６】
図７Ｃは、第２変形例の第１ガイドローラーの配置の説明図である。第２変形例では、第１ガイドローラー３１と搬送ローラー４とを別々の位置に設けている。第１ガイドローラー３１と対向して従動ローラーが設けられており、搬送ローラー４と対向して別の従動ローラーが設けられている。第１ガイドローラー３１及びその従動ローラーは、給紙ローラー２４や搬送ローラー４によって搬送されるレンズシートＬのＹ方向の移動を拘束しつつ搬送方向に案内しながら、レンズシートＬの搬送に伴って従動回転する。このような構成であっても、第１ガイドローラー３１は、レンズシートＬを、Ｙ方向への移動を拘束したまま、搬送方向に案内できる。但し、図７Ｂの場合と比較すると、図７Ｃの構成は装置が大型化する。
【００５７】
図７Ｄは、第３変形例の第１ガイドローラーの配置の説明図である。第３変形例では、第２変形例のように第１ガイドローラー３１が搬送ローラー４よりも搬送方向上流側に配置されるのではなく、第１ガイドローラー３１が搬送ローラー４よりも搬送方向下流側に配置されている。
【００５８】
なお、ここで説明した第１ガイドローラー３１は、いずれもガイド３よりも搬送方向下流側に設けられていたが、後述するように、第１ガイドローラー３１がガイド３よりも搬送方向上流側に設けられていてもよい。
【００５９】
＜係合部の形状について（１）＞
図８Ａは、図３のガイド３の係合部の断面形状の説明図である。前述のガイド３は、レンチキュラーレンズ７と同一形状であった。但し、ガイド３の係合部１２は、このような形状に限られるものではない。以下、ガイド３の係合部１２の形状の変形例について説明する。なお、以下のいずれの係合部１２も、図８Ａと同様に、搬送方向に沿った凸部１４を有している。また、ここではガイド３の係合部１２について説明するが、第１ガイドローラー３１の係合部１０２についても同様の形状にすることができる。
【００６０】
図８Ｂは、第１変形例の係合部の断面形状の説明図である。第１変形例の係合部１２の断面形状は、レンチキュラーレンズ７の反対形状である。言い換えると、第１変形例の係合部１２の凸部１４は、レンチキュラーレンズ７の凹部に合う形状になっている。このため、図８Ａでは凸部１４の曲率中心は係合部１２の内側（下側）にあったが、第１変形例の係合部１２の凸部１４の曲率中心は、係合部１２の外側（上側）にある。このような第１変形例の係合部１２であれば、レンズシートＬのＹ方向の拘束を強固にできる。
【００６１】
図８Ｃは、第２変形例の係合部の断面形状の説明図である。第２変形例の係合部１２は曲面を持たず、凸部１４の断面は三角形状である。このような形状であっても、レンズシートＬをＹ方向に拘束できる。
【００６２】
図８Ｄは、第３変形例の係合部の断面形状の説明図である。第３変形例の係合部１２は、図８Ａ〜図８Ｃと比較すると、凸部１４の間隔が２倍になっている。このように、凸部１４の間隔をレンズピッチｐの整数倍にしても、レンズシートＬをガイド３に載置したときにガイド３の凸部１４がシリンドリカルレンズ１３の谷に位置するので、レンズシートＬは、ガイド３に対してＹ方向の動きが制限され、Ｙ方向に位置決めされる。
【００６３】
図８Ｅは、第４変形例の係合部の断面形状の説明図である。第３変形例の係合部１２は、凸部１４の断面が矩形状である。このような形状であっても、レンズシートＬをＹ方向に拘束できる。但し、図８Ａ〜図８Ｄの係合部１２の方が、図８Ｅの係合部１２よりも、レンズとの間に隙間が生じにくいので、位置決め精度が高い。
【００６４】
＜係合部の形状について（２）＞
図９Ａは、図３のガイド及び第１ガイドローラーを上からみたときの係合部の谷の線の方向の概略説明図である。（なお、実際には、線の間隔はレンズピッチと同じ間隔又はその整数倍であるが、ここでは説明のため、線の間隔は実際のものとは異なっている。）図に示すように、上から見たときの谷の線の方向（又は凸部の方向）は、搬送方向（Ｘ方向）になっている。また、既に説明したとおり、第１ガイドローラー３１の係合部１０２の凸部１０４は主軸１０１の円周方向に沿って形成されており、この場合も、上から見たときの谷の線の方向（又は凸部１０４の方向）は、搬送方向（Ｘ方向）になっている。
【００６５】
図９Ｂは、変形例の係合部１２を上から見たときの拡大説明図である。この変形例の係合部１２には、複数の突起３４が円周方向に形成されると共に、円周方向に形成された複数の突起３４がレンズピッチｐと同じ間隔でＹ方向に並んでいる。このような係合部１２を有するガイド３であれば、図９Ａのガイド３のようにレンズシートＬの母線方向をＸ方向にしてレンズシートＬを搬送することができる。なお、第１ガイドローラー３１の
係合部１０２についても同様の形状にすることができる。
【００６６】
＝＝＝複数種類のレンズシートの搬送について＝＝＝
前述の説明では、レンズシートＬのレンチキュラーレンズ７のレンズ配列は１種類（例えば３０ｌｐｉのレンズピッチ）であることを想定していた。但し、記録可能なレンズシートＬの種類は多い方が望ましい。以下の説明では、３０ｌｐｉ（lens per inch）のレンチキュラーレンズ７を有するレンズシートＬ（以下、レンズシートＬ３ともいう）と６０ｌｐｉのレンチキュラーレンズ７を有するレンズシートＬ（以下、レンズシートＬ６ともいう）の両方を記録することとする。
【００６７】
＜参考例１＞
ガイド３には６０ｌｐｉ相当の凸部１４が配置され、一方、第１ガイドローラー３１には凸部１０４がないとする。  
この場合、６０ｌｐｉのレンズシートＬ６はガイド３によって適切に位置決めされる。但し、３０ｌｐｉのレンズシートＬ３を搬送するときには、レンズシートＬの山にガイド３の凸部１４が当るおそれがあり、高精度な位置決めができないことがある。なお、凸部の配置が逆の場合（つまり、第１ガイドローラー３１には６０ｌｐｉ相当の凸部１０４が配置され、ガイド３には凸部１４がない場合）も同様である。
【００６８】
＜参考例２＞
ガイド３には３０ｌｐｉ相当の凸部１４が配置され、一方、第１ガイドローラー３１には凸部１０４がないとする。  
この場合、３０ｌｐｉのレンズシートＬ３はガイド３によって適切に位置決めされる。また、この場合、ガイド３の凸部の間隔（１／３０インチ）がレンズシートＬ６のレンズピッチ（１／６０）の整数倍になっているので、レンズシートＬ６に対してある程度の位置決めは可能である。但し、６０ｌｐｉのレンズシートＬは、本来であれば、６０ｌｐｉのレンズシートＬに合う形状の凸部で案内した方が、高精度な位置決めができる。なお、凸部の配置が逆の場合（つまり、ガイドローラー３１に３０ｌｐｉ相当の凸部１０４が配置され、ガイド３には凸部１４がない場合）も同様である。  
そこで、本実施形態では、ガイド３と第１ガイドローラー３１の両方に大きさの異なる凸部を形成した。
【００６９】
＜第１形態＞
（１−１）
図１０は、第１形態のガイド３０及び第１ガイドローラー３１の概略説明図である。
【００７０】
図１０に示すように、第１形態ではガイド３に６０ｌｐｉ相当の凸部１４が設けられており、第１ガイドローラー３１には３０ｌｐｉ相当の凸部１０４が設けられている。なお、凸部１４は、ガイド３の上面（レンズシートＬとの接触面）全体に配置され、凸部１０４は、第１ガイドローラー３１の全周に配置されている。  
３０ｌｐｉのレンズシートＬ３を搬送する場合、ガイド３で高精度に位置決めできなくても、第１ガイドローラー３１で高精度に位置決めされる。  
また、６０ｌｐｉのレンズシートＬ６を搬送する場合、ガイド３で高精度に位置決めされる。また、ガイド３でレンズシートが既に高精度に位置決めされているので、第１ガイドローラー３１でも精度よく位置決めできる。  
このように、いずれのレンズシートとも、Ｙ方向への移動を拘束したまま、搬送方向に案内できる。
【００７１】
（１−１の改良例）
仮に、ガイド３に３０ｌｐｉ相当の凸部１４が配置され、第１ガイドローラー３１に６０ｌｐｉ相当の凸部１０４が６０ｌｐｉの間隔で配置されると、３０ｌｐｉのレンズシートＬ３を搬送するときに、せっかくガイド３で位置決めしたレンズシートの山に第１ガイドローラー３１の凸部１０４が当るおそれがあり、上記の構成ほど高精度な位置決めができないおそれがある。  
このため、ガイド３に３０ｌｐｉ相当の凸部１４が配置され、第１ガイドローラー３１に６０ｌｐｉ相当の凸部１０４が配置される場合には、ガイドローラーの６０ｌｐｉ相当の大きさの凸部１０４の間隔は、１／３０インチ間隔にするとよい。こうすることで、３０ｌｐｉのレンズシートＬ３も精度良く位置決めできる。
【００７２】
（１−２）
図１１は、第１形態の変形例（１−２）の記録装置を後方から見た斜視図である。また、図１２は第１形態の変形例の概略説明図である。
【００７３】
ガイド３には、レンズシートＬのＹ方向の載置位置を設定するため、第１側端押さえ部５１Ａと、第２側端押さえ部５１Ｂとが設けられている。第１側端押さえ部５１Ａと第２側端押さえ部５１Ｂは、それぞれ独立してＹ方向に移動可能である。レンズシートＬのＹ方向の幅が予め決まっているのであれば、第１側端押さえ部５１Ａと第２側端押さえ部５１Ｂとの間隔を固定したまま、一緒にＹ方向に移動可能にしても良い。
【００７４】
第１ガイドコントローラー３１のＹ方向の一端側（図１２中の左側）には、凸部１０４が設けられている。また、ガイド３のＹ方向の他端側（図１２中の右側）には、凸部１４が設けられている。凸部１４は、３０ｌｐｉのレンチキュラーレンズ７の形状に合うような凸部（３０ｌｐｉ相当の凸部）になっている。また、凸部１０４は、６０ｌｐｉのレンチキュラーレンズ７の形状に合うような凸部（６０ｌｐｉ相当の凸部）になっている。
【００７５】
３０ｌｐｉのレンチキュラーレンズのシリンドリカルレンズ間の凹部は、６０ｌｐｉのレンチキュラーレンズのシリンドリカルレンズ間の凹部よりも深い。このため、凸部１４は、凸部１０４よりも高い山になっている。なお、３０ｌｐｉのレンチキュラーレンズと凸部１４とが係合したときに、６０ｌｐｉのものと比べて、Ｙ方向の移動に対する拘束力が大きいので、凸部１４の数は、凸部１０４の数よりも少なくしても良い。
【００７６】
図１３Ａは、６０ｌｐｉのレンズシートＬ６を搬送する様子を上から見た図である。６０ｌｐｉのレンチキュラーレンズ７を有するレンズシートＬ６を搬送する場合、レンズシートＬ６を図中の左側に寄せて搬送する。これにより、第１ガイドローラー３１の左側にある凸部１０４が、レンズシートＬ６をＹ方向への移動を拘束したまま、搬送方向に案内できる。なお、レンズシートＬ６が左側に寄っているため、ガイド３の右側にある凸部１４は、レンズシートＬ６に接触しない。
【００７７】
図１３Ｂは、３０ｌｐｉのレンズシートＬ３を搬送する様子を上から見た図である。３０ｌｐｉのレンチキュラーレンズ７を有するレンズシートＬ３を搬送する場合、レンズシートＬ３を図中の右側に寄せて搬送する。これにより、ガイド３の右側にある凸部１４が、レンズシートＬ３をＹ方向への移動を拘束したまま、搬送方向に案内できる。なお、レンズシートＬ３が右側に寄っているため、第１ガイドローラー３１の左側にある凸部１０４は、レンズシートＬ３に接触しない。
【００７８】
このように、いずれのレンズシートとも、Ｙ方向への移動を拘束したまま、搬送方向に案内できる。
【００７９】
レンズシートＬのレンズピッチに応じてレンズシートの搬送時のＹ方向の位置を変更するため、第１側端押さえ部５１Ａ及び第２側端押さえ部５１Ｂを自動的に移動させる押さえ部移動機構を設けても良い。この場合、コントローラーが、レンズシートの種類に応じて押さえ部移動機構を制御して、第１側端押さえ部５１Ａ及び第２側端押さえ部５１Ｂの位置を設定すると良い。
【００８０】
以上説明したように、ガイド３の凸部１４と第１ガイドローラー３１の凸部１０４の大きさを異ならせているので、レンズシートＬ３及びレンズシートＬ６を共に高精度に位置決めすることができ、記録位置精度を高めることができる。また、この第１形態では、各部材に形成される凸部は１種類だけなので、各部材の製造が容易である（後述の第２形態では、各部材に凸部が２種類あるので、製造コストがかかる）。
【００８１】
＜第２形態＞
第１形態では各部材（ガイド３及び第１ガイドローラー３１）に１種類の凸部が設けられていた。これに対し、第２形態では各部材にそれぞれ２種類の凸部が設けられている。
【００８２】
図１４は、第２形態の概略説明図である。  
第２形態においても、第１形態の変形例（１−２）と同様に、ガイド３に、第１側端押さえ部５１Ａと、第２側端押さえ部５１Ｂとが設けられている。第１側端押さえ部５１Ａと第２側端押さえ部５１Ｂは、それぞれ独立してＹ方向に移動可能である。レンズシートＬのＹ方向の幅が予め決まっているのであれば、第１側端押さえ部５１Ａと第２側端押さえ部５１Ｂとの間隔を固定したまま、一緒にＹ方向に移動可能にしても良い。
【００８３】
ガイド３のＹ方向の一端側（図中の左側）には、凸部１４Ａが設けられ、ガイド３のＹ方向の他端側（図中の右側）には凸部１４Ｂが設けられている。また、第１ガイドコントローラー３１のＹ方向の一端側には、凸部１０４Ａが設けられ、第１ガイドコントローラー３１のＹ方向の他端側には、凸部１０４Ｂが設けられている。  
凸部１４Ａ及び凸部１０４Ａは、６０ｌｐｉのレンチキュラーレンズ７の形状に合うような凸部になっている。また、凸部１４Ｂ及び凸部１０４Ｂは、３０ｌｐｉのレンチキュラーレンズ７の形状に合うような凸部になっている。  
３０ｌｐｉのレンチキュラーレンズのシリンドリカルレンズ間の凹部は、６０ｌｐｉのレンチキュラーレンズのシリンドリカルレンズ間の凹部よりも深い。このため、凸部１４Ｂは、凸部１４Ａよりも高い山になっている。また、凸部１０４Ｂは、凸部１０４Ａよりも高い山になっている。なお、３０ｌｐｉのレンチキュラーレンズと凸部１４とが係合したときに、６０ｌｐｉのものと比べて、Ｙ方向の移動に対する拘束力が大きいので、凸部１４Ｂ及び凸部１０４Ｂの数は、凸部１４Ａ及び凸部１０４Ａの数よりも少なくしても良い。
【００８４】
図１５Ａは、６０ｌｐｉのレンズシートＬ６を搬送する様子を上から見た図である。６０ｌｐｉのレンチキュラーレンズ７を有するレンズシートＬ６を搬送する場合、レンズシートＬ６を図中の左側に寄せて搬送する。これにより、ガイド３の図中左側にある凸部１４Ａと第１ガイドローラー３１の左側にある凸部１０４Ａが、レンズシートＬ６をＹ方向への移動を拘束したまま、搬送方向に案内できる。なお、レンズシートＬ６が左側に寄っているため、ガイド３の右側にある凸部１Ｂ及び第１ガイドローラー３１の右側にある１０４Ｂは、レンズシートＬ６に接触しない。
【００８５】
図１５Ｂは、３０ｌｐｉのレンズシートＬ３を搬送する様子を上から見た図である。３０ｌｐｉのレンチキュラーレンズ７を有するレンズシートＬ３を搬送する場合、レンズシートＬ３を図中の右側に寄せて搬送する。これにより、ガイド３の図中右側にある凸部１４Ｂと第１ガイドコントローラー３１の右側にある凸部１０４Ｂが、レンズシートＬ３をＹ方向への移動を拘束したまま、搬送方向に案内できる。なお、レンズシートＬ３が右側に寄っているため、ガイド３の左側にある凸部１４Ａ及び第１ガイドローラー３１の左側にある凸部１０４Ａは、レンズシートＬ３に接触しない。
【００８６】
このように、第２形態においても、いずれのレンズシートとも、Ｙ方向への移動を拘束したまま、搬送方向に案内できる。
【００８７】
（第２形態の改良例）
図１６は第２形態の改良例の概略図である。また、図１７Ａは、第２形態の改良例の第１ガイドローラー３１を搬送方向から見た図である。図１７Ｂは、３０ｌｐｉのレンズシートＬ３を搬送する様子の概略説明図である。図１７Ｃは、６０ｌｐｉのレンズシートＬ６を搬送する様子の概略説明図である。なお、図１６に示すガイド３及び第１ガイドローラー３１の各凸部において、太線は３０ｌｐｉのレンチキュラーレンズ７に合う形状である（比較的山が高い）ことを示し、細線は６０ｌｐｉのレンチキュラーレンズ７に合う形状である（比較的山が低い）ことを示している。
【００８８】
第１ガイドローラー３１のＹ方向の一端の外側（図１６中の右側）には、３０ｌｐｉのレンチキュラーレンズ７の形状に合う凸部１０４Ｂが設けられている。既に説明したように、凸部１０４Ｂは、比較的山が高い。凸部１０４Ｂ同士の間隔は、３０ｌｐｉのレンチキュラーレンズ７の形状に合わせるため、１／３０インチの間隔になっている（図１７Ａ参照）。
【００８９】
また、ガイド３のＹ方向の一端の外側（図１６中の右側）には、３０ｌｐｉのレンチキュラーレンズ７の形状に合う凸部１４Ｂが設けられている。凸部１４Ｂは凸部１０４Ｂと同じ形状であり、凸部１４Ｂ同士の間隔は、３０ｌｐｉのレンチキュラーレンズ７の形状に合わせるため、１／３０インチの間隔になっている。
【００９０】
第１ガイドローラー３１の凸部１０４Ｂよりも内側（図１６中の左側）には、６０ｌｐｉのレンチキュラーレンズ７の形状に合う凸部１０４Ａが設けられている。既に説明したように、凸部１０４Ａは、凸部１０４Ｂよりも低い。凸部１０４Ａ同士の間隔は、１／６０インチの間隔ではなく、１／３０インチの間隔になっている（図１７Ａ参照）。つまり、凸部１４Ａ同士の間隔は、６０ｌｐｉのレンチキュラーレンズ７のレンズピッチよりも広い間隔になっている。なお、凸部１４Ａ同士の間隔は、１／３０インチの整数倍の間隔でも良い。
【００９１】
また、ガイド３の凸部１４Ｂよりも内側（図１６中の左側）には、６０ｌｐｉのレンチキュラーレンズ７の形状に合う凸部１４Ａが設けられている。凸部１４Ａは凸部１０４Ａと同じ形状であり、凸部１４Ａ同士の間隔は、凸部１０４Ａと同様に１／３０インチの間隔になっている。
【００９２】
最も右側の凸部１４Ａ（凸部１０４Ａ）と最も左側の凸部１４Ｂ（凸部１０４Ｂ）との間隔は、６０ｌｐｉのレンチキュラーレンズ７のレンズピッチの整数倍の間隔であり、且つ、３０ｌｐｉのレンチキュラーレンズのレンズピッチの整数倍の間隔になっている。ここでは１／３０インチの間隔だが、実際にはもっと広くて良い。
【００９３】
図１６において、右側の凸部１４Ｂ（凸部１０４Ｂ）の数は、凸部１４Ａ（凸部１０４Ａ）の数よりも少なくなっている。これは、３０ｌｐｉのレンチキュラーレンズの凹部が深く、また凸部１４Ｂ（凸部１０４Ｂ）が高く形成されているため、３０ｌｐｉのレンチキュラーレンズと凸部１４Ｂ（凸部１０４Ｂ）とが係合したときに、６０ｌｐｉのものと比べて、Ｙ方向の移動に対する拘束力が大きいからである。
【００９４】
３０ｌｐｉのレンチキュラーレンズ７を有するレンズシートＬ３を搬送する場合、レンズシートＬ３を図中の右側に寄せて搬送する（図１７Ｂ）。なお、図１７Ｂは、第１ガイドローラー３１を搬送方向から見た図であるが、レンズシートＬ３がガイド３上にあるときも同様の状態である。これにより、第１ガイドローラー３１の右側にある凸部１０４Ｂ（及びガイド３の右側にある凸部１４Ｂ）がレンチキュラーレンズ７に係合し、レンズシートＬ３をＹ方向への移動を拘束したまま、搬送方向に案内できる。
【００９５】
なお、この第２形態の改良例では、前述の第２形態とは異なり、凸部１０４Ａ（凸部１４Ａ）がレンズシートＬ３に接触するかもしれない。但し、凸部１０４Ａ（凸部１４Ａ）は、３０ｌｐｉのレンチキュラーレンズ７のレンズピッチと同じ間隔で配置されているため、レンチキュラーレンズ７のシリンドリカルレンズの山には凸部１０４Ａ（凸部１４Ａ）は接触しない。また、３０ｌｐｉのレンチキュラーレンズの凹部は深いので、３０ｌｐｉのレンチキュラーレンズの凹部の位置に凸部１０４Ａ（凸部１４Ａ）があっても問題はない。このため、レンズシートＬ３を、Ｙ方向への移動を拘束したまま、搬送方向に案内できる。
【００９６】
６０ｌｐｉのレンチキュラーレンズ７を有するレンズシートＬ６を搬送する場合、レンズシートＬ６の右側端が凸部１０４Ｂよりも左側になるように、レンズシートＬ６を左側に寄せて搬送する（図１７Ｃ）。なお、図１７Ｃは、第１ガイドローラー３１を搬送方向から見た図であるが、レンズシートＬ３がガイド３上にあるときも同様の状態である。このため、第１ガイドローラー３１の右側にある凸部１０４Ｂ（及びガイド３の右側にある凸部１４Ｂ）がレンズシートＬ６に接触しない状態で、凸部１０４Ａ（凸部１４Ａ）がレンチキュラーレンズ７に係合し、レンズシートＬ６をＹ方向への移動を拘束したまま、搬送方向に案内できる。
【００９７】
なお、凸部１４Ａ及び凸部１０４Ａは、１／６０インチの整数倍である１／３０インチの間隔で形成されている。このため、全ての凸部１４Ａ及び凸部１０４Ａは、６０ｌｐｉのレンチキュラーレンズ７の凹部に係合することができる。  
この改良例によれば、レンズシートのＹ方向の搬送位置を大きく変えなくても済む。
【００９８】
＜第３形態＞
前述した形態では、第１ガイドローラー３１がガイド３よりも搬送方向下流側に設けられていたが、第１ガイドローラー３１がガイド３に対して搬送方向上流側に設けられていてもよい。  
但し、この場合、ガイド３よりも搬送方向上流側からレンズシートＬが搬送されてくることになり、レンズシートＬがガイド３に搬送される際にシートが詰まるおそれがある。
【００９９】
図１８Ａは、ガイド３の搬送方向上流側の端面の説明図である。図のようにガイド３の端面３Ａの法線方向が搬送方向（Ｘ方向）になると、レンズシートＬがガイド３に向かって搬送されてきたときに、レンズシートＬの上端がガイド３の端面３Ａにぶつかり、シートが詰まりやすい。
【０１００】
図１８Ｂは、ガイド３の端面形状の変形例の説明図である。変形例では、ガイド３の搬送方向上流側の端面３Ｂの法線方向がＺ方向成分を有するように、ガイド３の端面を斜面にしている。これにより、レンズシートＬの上端がガイド３の端面３Ｂにぶつかったとき、レンズシートＬの上端が上に案内され、シートが詰まりにくくなる。  
なお、第３形態のように、ガイド３よりも搬送方向上流側からレンズシートＬが搬送されてくる構成の場合に、図１８Ｂの変形例が有利である。
【０１０１】
また、図１９Ａは、ガイド３の係合部１２の端部形状の説明図である。図のように、係合部１２の断面形状が端部まで同じだと、レンズシートＬがガイド３に向かって搬送されてきたときに、レンズシートＬの上端が係合部１２の凸部１４にぶつかり、シートが詰まりやすい。
【０１０２】
そこで、図１９Ｂ〜図１９Ｅのように、係合部１２の凸部１４を、搬送方向上流側ほど小さくするようにしても良い。これにより、係合部１２の凸部１４の端が、搬送されてくるレンズシートＬの山と山の間に入り込みやすくなり、レンズシートＬの山を係合部１２の谷に案内し、レンズシートＬの谷を係合部１２の山に案内しやすくなる。  
なお、第３形態のように、ガイド３よりも搬送方向上流側からレンズシートＬが搬送されてくる構成の場合に、図１９Ｂ〜図１９Ｅの変形例が有利である。
【０１０３】
＝＝＝押圧ローラーの変形例＝＝＝
前述の実施形態では、搬送ローラー４若しくは給紙ローラー２４が、レンズシートＬをガイドローラー３１やガイド３に押し付けるための押圧ローラーとなっていた（以下の説明では、搬送ローラー４と給紙ローラー２４をまとめて「押圧ローラー」と呼ぶことがある）。
【０１０４】
＜配置について＞
図３の記録装置１００では、押圧ローラーは、レンズシートＬの幅よりも長かった。しかし、押圧ローラーは、レンズシートＬの幅よりも短くても良い。  
例えば、給紙ローラー２４は、レンズシートＬの斜行防止するためにレンズシートＬをガイド３に押し付けているので、少なくともガイド３の凸部１４の形成された位置に対向して設けられていればよい。なお、搬送ローラー４についても同様である。
【０１０５】
＜表面形状について＞
前述の押圧ローラーの表面に凹凸を形成しても良い。  
図２０Ａは、押圧ローラーの表面に凸部を設けた変形例の説明図である。給紙ローラー２４の凸部４４は、ガイド３の凸部１４と対向する位置に設けられている。このため、給紙ローラー２４の凸部４４の間隔は、レンズピッチｐと同じ間隔、若しくは、その整数倍である。給紙ローラー２４の凸部４４がガイド３の凸部１４と対向する位置にあるため、前述の図６ＡのＢ−Ｂ断面の位置で押圧力が作用するときに、レンズシートＬの山がガイド３の谷に向かって強く押され、斜行が修正されやすくなる。
【０１０６】
図２０Ｂは、押圧ローラーの表面に凸部を設けた別の変形例の説明図である。図２０Ｂの給紙ローラー２４の凸部４４は、ガイド３の凸部１４の間と対向する位置に設けられている。図６Ｃのような状態からレンズシートＬの山がガイド３の谷に入り込むことがレンズシートＬの斜行修正の契機になるので、給紙ローラー２４の凸部４４の位置は、図２０Ａよりも図２０Ｂの方が有利である。
【０１０７】
この例では給紙ローラー２４について説明したが、搬送ローラー４についても同様である。  
なお、押圧ローラーに凸部４４を設ける場合には、押圧ローラーの凸部４４が変形しやすいようにゴムなどの弾性材を用いると良い。
【０１０８】
＝＝＝ガイド及び第１ガイドローラーの位置調整＝＝＝
ガイド３及び第１ガイドローラー３１は、凸部１４の方向が搬送方向に沿うように調整して記録装置１００に取り付ける必要がある。ここでは、ガイド３の取り付け時の調整方法について説明する。なお、第１ガイドローラー３１の取り付け時の調整方法についても同様に行なうことができる。
【０１０９】
図２１は、検査用画像の説明図である。  
検査用画像ＣＭは、複数本のラインＬｎを有する画像である。複数のラインＬｎの中心のラインＬＡは、画像データ上では搬送方向に沿ったラインになっている。検査用画像ＣＭのラインＬＡの左右にあるラインＬｎは、一定角度ずつ順に傾斜を累積させたラインになっている。例えば、ラインＬＡよりも右側のラインＬｎは、画像データ上において搬送方向に向かって時計回りに０．０１度刻みで順に傾斜角を増すように設定されている。また、ラインＬＡよりも左側のラインＬｎは、画像データ上において搬送方向に向かって反時計回りに０．０１度刻みで順に傾斜角を増すように設定されている。
【０１１０】
ガイド３が記録装置１００に取り付けられた後、ガイド３の凸部１４の母線方向が搬送方向に沿っているかどうかを検査するため、記録装置１００は、検査用画像ＣＭをレンズシートＬに記録する。もし記録装置１００が理想的に組み立てられていれば、ラインＬＡは搬送方向に一致してレンズシートＬ上に記録される。すなわち、記録装置１００が理想的に組み立てられていれば、ラインＬＡは、レンズシートＬの母線方向に沿って記録されているはずである。記録装置１００が検査用画像をレンズシートＬに記録した後、検査者は、レンチキュラーレンズ７の側から検査用画像を検査する。
【０１１１】
図２２は、レンチキュラーレンズの側から見た検査用画像の説明図である。複数本のラインＬｎのうち、レンチキュラーレンズ７の母線方向と一致して記録されたラインＬｎは、連続した１本のラインとして視認することができる。他方、レンチキュラーレンズ７の母線方向に沿って記録されていないラインＬｎは、複数のシリンドリカルレンズ１３にまたがって記録されるため、例えば、ラインＬＣ等のように不連続で分断されたラインになる。もし記録装置１００が理想的に組み立てられていれば、ラインＬＡが１本のラインとして視認されるはずである。他方、ガイド３の凸部１４の母線方向が搬送方向に対して傾斜していれば、ラインＬＡは分断されたラインとして視認され、その傾斜角度に相当する別のラインＬＢが１本のラインとして視認される。
【０１１２】
そこで、検査者は、１本に視認できるラインを特定し、そのラインに相当する角度の分だけガイド３の取付角度を調整する。例えば、この場合、現在のガイド３の取付角度に対して、０．０３度だけ傾斜するようにガイド３の取付角度を調整する。これにより、ガイド３の凸部１４が搬送方向に沿うようにガイド３が記録装置１００に取り付けられる。
【０１１３】
なお、上記の説明では、検査者がレンズシートＬに記録された検査用画像を視認していたが、これに限られるものではない。例えば、スキャナがレンズシートＬに記録された検査用画像を読み取り、読み取り結果に基づいて、ガイド３の取付角度を決定しても良い。
【０１１４】
＝＝＝給紙の変形例＝＝＝
前述の実施形態では、レンズシートＬが記録装置１００の背面側から供給されていた。しかし、これに限られるものではない。  
例えば、ＡＳＦ（オート・シート・フィーダー）を備えた記録装置では、記録装置１００の上側からレンズシートＬを供給しても良い。また、記録装置の前面から開閉可能な給紙カセットを備えた記録装置では、記録装置の下側からレンズシートＬを供給しても良い。  
いずれの場合においても、ヘッド６がレンズシートＬに記録を行う前に、レンズシートＬがガイド３又は第１ガイドローラー３１で案内されながら搬送されているので、レンズシートＬを精度良く搬送方向に搬送できる。
【０１１５】
＝＝＝その他の実施の形態＝＝＝
一実施形態としてヘッドを用いた記録装置を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【０１１６】
２  筐体、３  ガイド、３Ａ，３Ｂ  端面、
４  搬送ローラー、５  排紙ローラー、６  ヘッド、
７  レンチキュラーレンズ、８  画像形成層、
８Ａ  インク透過層、８Ｂ  インク吸収層、
９  給紙開口部、１０  排紙開口部、１１  基板、
１２  係合部、１３  シリンドリカルレンズ、
１４，１４Ａ，１４Ｂ  凸部、
１６  搬送用モーター、１７  排紙用モーター、１８  キャリッジ、
１９  キャリッジガイド、２０  キャリッジ用モーター、
２１  タイミングベルト、２３  プラテン、
２４  給紙ローラー、２４Ａ  バネ要素、
３１  第１ガイドローラー、３２  第２ガイドローラー、３４  突起、
５１Ａ  第１側端押さえ部、５１Ｂ  第２側端押さえ部、
１００  記録装置、１０１  主軸、１０２  係合部、
１０４，１０４Ａ，１０４Ｂ  凸部、
１１０  コンピューター、
ＣＭ  検査用画像、Ｌｎ  ライン、
Ｌ  レンズシート
【図１】
2010247961.tif 000003
【図２】
2010247961.tif 000004
【図３】
2010247961.tif 000005
【図４】
2010247961.tif 000006
【図５】
2010247961.tif 000007
【図６】
2010247961.tif 000008
【図７】
2010247961.tif 000009
【図８】
2010247961.tif 000010
【図９】
2010247961.tif 000011
【図１０】
2010247961.tif 000012
【図１１】
2010247961.tif 000013
【図１２】
2010247961.tif 000014
【図１３】
2010247961.tif 000015
【図１４】
2010247961.tif 000016
【図１５】
2010247961.tif 000017
【図１６】
2010247961.tif 000018
【図１７】
2010247961.tif 000019
【図１８】
2010247961.tif 000020
【図１９】
2010247961.tif 000021
【図２０】
2010247961.tif 000022
【図２１】
2010247961.tif 000023
【図２２】
2010247961.tif 000024